(57)【要約】      （修正有）【課題】使用者が開口を認識し易く、円滑な装着操作を行うことができる清掃具を提供する。【解決手段】清掃具１００は、保持具２００に取り付けることにより使用され、繊維体によって構成される。清掃具１００は、保持具を収容する収容部１１０と、清掃対象に当接される清掃部１２０と、を有する。収容部は、開口１１１と、開口に連続する収容空間１１２と、を有する。繊維体は、収容部の開口１１１を形成する第１繊維体１０と、清掃部１２０を構成する第２繊維体と、を有する。第１繊維体と第２繊維体の色差ΔＥは、４９．０以上である。【選択図】図１
0003213832.tif 000002
【実用新案登録請求の範囲】
【請求項１】
保持具に取り付けることにより使用され、繊維体によって構成される清掃具であって、
前記保持具を収容する収容部と、清掃対象に当接される清掃部と、を有し、
前記収容部は、開口と、前記開口に連続する収容空間と、を有し、
前記繊維体は、前記開口を形成する第１繊維体と、前記清掃部を構成する第２繊維体と、を有し、
前記第１繊維体と前記第２繊維体の色差ΔＥは、４９．０以上である、清掃具。
【請求項２】
前記第１繊維体は、前記開口及び前記収容空間を構成する、請求項１に記載の清掃具。
【請求項３】
前記第１繊維体と前記第２繊維体を接合する接合部を有し、
前記第１繊維体の光線透過率は、７５〜９０パーセントであり、
前記接合部に接合された第２繊維体は、前記第１繊維体の前記収容空間側から視認可能に構成されている、請求項１又は請求項２に記載の清掃具。
【請求項４】
前記接合部は、前記収容空間の延在方向に沿って間隔を空けて複数配置されている、請求項３に記載の清掃具。
【請求項５】
前記接合部は、前記収容空間の延在方向に沿って延びている、請求項３又は請求項４に記載の清掃具。
【請求項６】
前記第２繊維体は、繊維束を有し、
前記繊維束と前記第１繊維体の色差ΔＥは、４９．０以上である、請求項１から請求項５のいずれか１項に記載の清掃具。
【請求項７】
前記繊維体は、前記清掃部を構成し、かつ前記第１繊維体に対する色差ΔＥが１０．０以下である第３繊維体を有し、
前記第１繊維体は、収容側シート状部材を有する、請求項６に記載の清掃具。
【請求項８】
前記第１繊維体は、複数の前記収容側シート状部材を有しており、
前記収容空間は、前記複数の収容側シート状部材によって挟まれた空間であり、
前記複数の収容側シート状部材は、前記収容空間の前記開口側の端部から前記収容空間の外側に向かって延出する延出部をそれぞれ有し、
前記延出部の前記収容側シート状部材どうしは、離間している、請求項１から請求項７のいずれか１項に記載の清掃具。
【考案の詳細な説明】
【技術分野】
【０００１】
本考案は、保持具に取り付けることにより使用され、清掃対象を清掃するための清掃具に関する。
【背景技術】
【０００２】
保持具に取り付けることにより使用される清掃具が提供されている。清掃具には、保持具を挿入するための開口が設けられている。清掃具の開口を介して保持具を出し入れすることにより、清掃具は、保持具に対して着脱可能に構成されている。
【先行技術文献】
【特許文献】
【０００３】
【特許文献１】特開２００７−１３６１５６号
【考案の概要】
【考案が解決しようとする課題】
【０００４】
清掃具は、ほこり等の塵芥を捕集するための繊維体を有している。繊維体は、一般的に、不織布シートや繊維束によって構成されており、起立可能に構成されている。繊維体が起立した状態では、繊維体によって開口が覆われたり、繊維体と開口が視覚的に一体化したりして、使用者が開口を把握出来ないことがあった。そこで、使用者が開口を認識し易く、円滑な装着操作を行うことができる清掃具が望まれる。
【課題を解決するための手段】
【０００５】
一態様に係る清掃具は、保持具に取り付けることにより使用され、繊維体によって構成される清掃具であって、前記保持具を収容する収容部と、清掃対象に当接される清掃部と、を有し、前記収容部は、開口と、前記開口に連続する収容空間と、を有し、前記繊維体は、前記開口を形成する第１繊維体と、前記清掃部を構成する第２繊維体と、を有し、前記第１繊維体と前記第２繊維体の色差ΔＥは、４９．０以上である。
【図面の簡単な説明】
【０００６】
【図１】実施形態に係る清掃具及び保持具を示す斜視図である。
【図２】清掃具の構成を示す分解図である。
【図３】変形例に係る清掃具及び保持具を示す斜視図である。
【図４】変形例に係る清掃具の側面図である。
【考案を実施するための形態】
【０００７】
（１）実施形態の概要
本明細書及び添付図面の記載により、少なくとも以下の事項が明らかとなる。
一態様に係る清掃具は、保持具に取り付けることにより使用され、繊維体によって構成される清掃具であって、
前記保持具を収容する収容部と、清掃対象に当接される清掃部と、を有し、
前記収容部は、開口と、前記開口に連続する収容空間と、を有し、
前記繊維体は、前記開口を形成する第１繊維体と、前記清掃部を構成する第２繊維体と、を有し、
前記第１繊維体と前記第２繊維体の色差ΔＥは、４９．０以上である。
【０００８】
開口を構成する第１繊維体と清掃部を構成する第２繊維体の色差ΔＥが４９．０以上であるため、開口が目立ち易い。使用者は、清掃部に対して開口を区別して認識し易い。よって、保持具に対する清掃具の装着操作を容易に行うことができる。
【０００９】
好ましい一態様によれば、前記第１繊維体は、前記開口及び前記収容空間を構成する。
【００１０】
収容空間を構成する第１繊維体と清掃部を構成する第２繊維体の色差ΔＥが４９．０以上であるため、収容空間が目立ち易い。使用者は、清掃部に対して収容空間を区別して認識し易く、開口に保持具を挿入した後に収容空間内に保持具を挿入し易くなる。よって、保持具に対する清掃具の装着操作を容易に行うことができる。
【００１１】
好ましい一態様によれば、前記第１繊維体と前記第２繊維体を接合する接合部を有し、前記第１繊維体の光線透過率は、７５〜９０パーセントであり、前記接合部に接合された第２繊維体は、前記第１繊維体の前記収容空間側から視認可能に構成されている。
【００１２】
第１繊維体の収容空間側から第２繊維体が視認可能に構成されているため、使用者は、収容空間側から接合部における第２繊維体を視認し、当該接合部における第２繊維体によって収容空間の位置や形状を把握できる。よって、使用者は、開口に保持具を挿入した後に、収容空間に沿って保持具を挿入し易く、保持具に対する清掃具の装着操作を容易に行うことができる。
【００１３】
好ましい一態様によれば、前記接合部は、前記収容空間の延在方向に沿って間隔を空けて複数配置されている。
【００１４】
収容空間の延在方向に沿って配置された接合部によって、保持具の挿入方向を示すことができる。使用者は、接合部を目印として保持具の挿入操作を行うことができ、保持具に対する清掃具の装着操作を容易に行うことができる。
【００１５】
好ましい一態様によれば、前記接合部は、前記収容空間の延在方向に沿って延びている。
【００１６】
収容空間の延在方向に沿って延びる接合部によって、保持具の挿入方向を示すことができる。使用者は、接合部を目印として保持具の挿入操作を行うことができ、保持具に対する清掃具の装着操作を容易に行うことができる。
【００１７】
好ましい一態様によれば、前記第２繊維体は、繊維束を有し、前記繊維束と前記第１繊維体の色差ΔＥは、４９．０以上である。
【００１８】
繊維束と第１繊維体は、色差ΔＥが４９．０以上であり、第１繊維体が繊維束に対して目立ち易い。よって、繊維束が起立した状態においても、使用者が開口を区別して認識し易い。使用者が開口の位置を把握し易く、保持具に対する清掃具の装着操作を容易に行うことができる。
【００１９】
好ましい一態様によれば、前記繊維体は、前記清掃部を構成し、かつ第１繊維体に対する色差ΔＥが１０．０以下である第３繊維体を有し、前記第１繊維体は、収容側シート状部材を有する。
【００２０】
第３繊維体と収容側シート状部材は、色差ΔＥが１０．０以下であり、視覚的に一体化し易い。一方、繊維束と収容側シート状部材は、色差ΔＥが４９．０以上であり、収容側シート状部材に対して繊維束が目立ち易い。よって、使用者は、繊維束が起立した状態においても開口を区別して認識し易い。よって、保持具に対する清掃具の装着操作を容易に行うことができる。
【００２１】
好ましい一態様によれば、前記第１繊維体は、複数の前記収容側シート状部材を有しており、前記収容空間は、前記複数の収容側シート状部材によって挟まれた空間であり、前記収容側シート状部材は、前記収容空間の前記開口側の端部から前記収容空間の外側に向かって延出する延出部を有し、前記延出部の前記収容側シート状部材は、離間している。
【００２２】
延出部の収容側シート状部材は、離間しており、開口の一部を構成する。収容空間の開口側の端部によって開口が画定される構成と比較して、延出部によって開口が大きくなる。開口が大きく、かつ清掃部に対して目立ち易い色差を有するため、開口がより目立ち易くなる。よって、保持具に対する清掃具の装着操作を容易に行うことができる。
【００２３】
（２）清掃具の構成
以下、図面を参照して、実施形態に係る清掃具について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２４】
図１は、清掃具及び保持具を示す斜視図である。図２は、清掃具の構造を示す分解図である。保持具２００は、使用者に把持される把持部２１０と、把持部２１０から延在し、清掃具に収容される挿入部２２０と、を有する。
【００２５】
清掃具１００は、長手方向Ｙと、長手方向Ｙと直交する方向である直交方向Ｘと、長手方向Ｙと直交方向Ｘの双方に交差する方向である厚み方向Ｚとに延在してよい。清掃具１００は、直交方向Ｘ上の端部１００Ｘと、長手方向Ｙ上の端部１００Ｙとを有してよい。
【００２６】
清掃具１００は、第１面１００Ｚ１と、当該第１面１００Ｚ１と対向する面である第２面１００Ｚ２とを有してよい。図２は、清掃具１００の構成を示す分解図である。清掃具１００は、収容部１１０と、清掃部１２０と、を有してよい。収容部１１０は、第１面１００Ｚ１側に設けられており、清掃部１２０は、第２面１００Ｚ２側に設けられている。清掃部１２０と収容部１１０は、接合部５０としての第１接合部５１によって接合されてよい。第１接合部５１は、清掃具１００の直交方向Ｘの中心において長手方向Ｙに沿った直線状である。
【００２７】
収容部１１０は、保持具２００の挿入口となる開口１１１と、開口１１１に連続する収容空間１１２と、を有する。収容空間１１２は、長手方向Ｙに延びている。よって、実施形態における収容空間１１２の延在方向は、長手方向Ｙである。なお、本実施形態において「構成要素などが直交方向Ｘ（長手方向Ｙ）に延びる」とは、当該構成要素などが直交方向Ｘ（長手方向Ｙ）と平行である場合や、当該構成要素などの延在方向が直交方向Ｘ成分を有する場合を示すものである。
【００２８】
収容部１１０は、第１繊維体１０によって構成されてよい。第１繊維体１０は、厚み方向Ｚ外側に位置する第１収容側シート状部材１１と、厚み方向Ｚ内側に位置する第２収容側シート状部材１２と、を有してよい。第１収容側シート状部材１１及び第２収容側シート部材１２は、不織布であってよい。第１収容側シート状部材１１の長手方向Ｙの長さは、第２収容側シート状部材１２の長手方向Ｙの長さよりも短い。なお、第１繊維体１０は、収容部１１０の少なくとも開口１１１を構成すればよい。収容空間１１２は、第１繊維体以外の繊維体によって構成されてもよい。
【００２９】
第１収容側シート状部材１１と第２収容側シート状部材１２は、第１接合部５１と接合部５０としての第２接合部５２とによって接合されてよい。第２接合部５２は、第１接合部５１よりも直交方向Ｘ外側にそれぞれ配置されてよい。第２接合部５２は、収容空間１１２の延在方向に沿って延び、かつ延在方向に沿って間隔を空けて複数配置されてよい。第２接合部５２の平面視の形状は、長手方向に延びる長尺状であってよい。
【００３０】
第１接合部５１と第２接合部５２は、直交方向Ｘにおいて間隔を空けて配置されている。第１接合部５１と第２接合部５２の間において第１収容側シート状部材１１と第２収容側シート状部材１２は、接合されていない。第１接合部５１と第２接合部５２の間における第１収容側シート状部材１１と第２収容側シート状部材１２の間の空間は、収容空間１１２を構成する。
【００３１】
第１接合部５１及び第２接合部５２は、第１収容側シート状部材１１の長手方向Ｙ端部に到達している。よって、収容空間１１２は、第１収容側シート状部材１１の長手方向端部まで延びており、開口１１１は、第１収容側シート状部材１１の長手方向端部に形成される。開口１１１及び収容空間１１２は、第１接合部５１を挟んで直交方向外側にそれぞれ設けられている。
【００３２】
清掃部１２０は、清掃対象に当接される当接面を有する。清掃部１２０は、第２繊維体２０及び第３繊維体３０によって構成されてよい。第２繊維体２０は、複数層の繊維束２１を有し、第３繊維体３０は、繊維束２１が重ねられる清掃側シート状部材３１を有してよい。繊維束２１は、所定方向に繊維配向性を有する繊維の集合体であってよい。この繊維束２１は、熱可塑性繊維が使用される。繊維束２１は、典型的にはトウ繊維を開繊することにより得られてよい。第２清掃側シート状部材３１は、不織布であってよい。また、別の実施形態において、第２繊維体は、不織布であってよい。第２繊維体２０と第３繊維体３０は、色差が異なる。第２繊維体は、第１繊維体に対する色差ΔＥが４９．０以上の繊維体である。第３繊維体３０は、第１繊維体１０に対する色差が１０．０以下の繊維体である。なお、第１繊維体が複数の色を有する形態にあっては、開口における第１繊維体に対する色差によって規定される。色差の測定方法については、後述にて詳細に説明する。
【００３３】
清掃側シート状部材３１は、直交方向Ｘに延びる切断部３２を有している。切断部３２は、長手方向Ｙに間隔を空けて複数設けられている。繊維束２１は、起毛可能な繊維体であり、収容側シート状部材に対して起立可能に構成されている。なお、清掃部１２０は、第２繊維体２０のみによって構成され、第３繊維体を有していなくてもよい。
【００３４】
複数層の繊維束２１と清掃側シート状部材３１は、第１接合部５１によって接合されている。また、収容部１１０側の繊維束２１と収容側シート状部材は、第２接合部５２によって接合されている。第２接合部５２によって接合された第２繊維体２０（繊維束２１）は、第１繊維体１０の収容空間１１２側から視認可能に構成されている。具体的には、第１繊維体１０の光線透過率が７５〜９０パーセントであり、接合箇所において第１繊維体１０を介して第２繊維体２０が視認できるように構成されている。なお、第１繊維体１０の光線透過率は、第１収容側シート状部材１１と第２収容側シート状部材１２を重ねた状態の光線透過率である。
【００３５】
なお、実施形態に係る第１接合部５１は、第１繊維体１０、第２繊維体２０及び第３繊維体３０の接合、第１繊維体１０を構成する収容側シート状部材同士の接合、第２繊維体２０を構成する繊維束２１同士の接合、及び繊維束２１と清掃側シート状部材３１の接合をしている。しかし、他の形態において、各接合部がそれぞれ別々に形成されていてもよい。
【００３６】
第１繊維体１０、第２繊維体２０及び第３繊維体３０は、互いに色差ΔＥが異なっており、保持具の装着性を向上できるように構成されている。「色差」は、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。具体的に、測定対象たる２点間のL*値の差がΔL*、a*の差がΔa*、b*値の差がΔb*であるときに、色差ΔE*ab＝[(ΔL*)2＋(Δa*)2＋(Δb*)2]1/2によって求められる。
【００３７】
第１繊維体１０と第２繊維体の色差ΔＥは、４９．０以上である。開口１１１を構成する第１繊維体１０と清掃部１２０を構成する第２繊維体２０の色差ΔＥが４９．０以上であるため、開口１１１が清掃部１２０に対して目立ち易い。使用者は、清掃部に対して開口を区別して認識し易い。よって、保持具に対する清掃具の装着操作を容易に行うことができる。
【００３８】
また、第１繊維体が収容空間も構成するため、収容空間１１２が清掃部１２０に対して目立ち易い。使用者は、清掃部１２０に対して収容空間１１２を区別して認識し易く、開口１１１に保持具２００を挿入した後に収容空間１１２内に保持具２００を挿入し易くなる。よって、保持具に対する清掃具の装着操作を容易に行うことができる。
【００３９】
第２接合部５２において接合された第２繊維体２０が第１繊維体１０の収容空間１１２側から視認可能に構成されているため、使用者は、収容空間１１２側から第２接合部５２における第２繊維体２０を視認し、収容空間１１２の位置や形状を把握できる。よって、使用者は、開口１１１に保持具２００を挿入した後に、収容空間１１２に沿って保持具２００を挿入し易く、保持具２００に対する清掃具１００の装着操作を容易に行うことができる。
【００４０】
第２接合部５２は、収容空間１１２の延在方向である長手方向Ｌに沿って間隔を空けて複数配置されてよい。第２接合部５２によって保持具２００の挿入方向を示すことができる。使用者は、第２接合部５２を目印として保持具２００の挿入操作を行うことができ、保持具２００に対する清掃具１００の装着操作を容易に行うことができる。
【００４１】
第２接合部５２は、収容空間１１２の延在方向に沿って延びてよい。第２接合部５２によって保持具２００の挿入方向を示すことができる。使用者は、第２接合部５２を目印として保持具の挿入操作を行うことができ、保持具に対する清掃具の装着操作を容易に行うことができる。
【００４２】
第２繊維体２０である繊維束２１は、起立可能に構成されている。繊維束２１と第１繊維体１０は、色差ΔＥが４９．０以上であるため、第１繊維体１０が繊維束２１に対して目立つ。よって、繊維束２１が起立した状態においても、使用者は、開口１１１を区別して認識し易い。使用者が開口の位置を把握し易く、保持具に対する清掃具の装着操作を容易に行うことができる。
【００４３】
第１繊維体１０と第３繊維体３０の色差ΔＥは、１０．０以下であってよい。第３繊維体３０である清掃側シート状部材３１と収容側シート状部材は、色差ΔＥが１０．０以下であり、視覚的に一体化し易い。一方、繊維束２１と収容側シート状部材は、色差ΔＥが４９．０以上であり、収容側シート状部材に対して繊維束が目立ち易い。よって、使用者は、繊維束が起立した状態においても開口１１１を区別して認識し易い。よって、保持具２００に対する清掃具１００の装着操作を容易に行うことができる。
【００４４】
次に、変形例に係る清掃具１００Ａについて、図３及び図４に基づいて説明する。以下の説明においては、上述の実施形態と同様の構成について同符号を用いて説明を省略する。変形例に係る清掃具１００Ａは、収容部１１０Ａを構成する第１繊維体１０Ａと、清掃部１２０Ａを構成する第２繊維体２０Ａと、を有し、第２繊維体２０Ａは、第１繊維体１０Ａの厚み方向の両面側に配置されている。
【００４５】
第１繊維体１０Ａは、第１収容側シート状部材１１Ａと、第２収容側シート状部材１２Ａと、を有する。第１収容側シート状部材１１Ａと第２収容側シート状部材１２Ａは、収容空間１１２Ａの開口側の端部から収容空間１１２Ａの外側に向かって延出する延出部１３をそれぞれ有している。収容空間１１２Ａの開口側の端部は、収容空間１１２Ａを画定する接合部の端部である。延出部１３は、収容空間１１２Ａを画定する接合部から延出した部分であり、開口１１１Ａの一部を構成する。第１収容側シート状部材１１Ａの延出部１３と、第２収容側シート状部材１２Ａの延出部１３と、は接合されてなく、離間可能に構成されている。
【００４６】
延出部１３を有しない清掃具にあっては、収容空間の開口側の端部が開口を構成する。そのため、使用者は、挿入方向から開口を視認した際に、収容側シート状部材の断面を視認する。一方、変形例に係る清掃具１００Ａは、収容空間１１２Ａから延出した延出部１３を有するため、開口１１１Ａが大きくなる。使用者は、挿入方向から開口を視認した際に、延出部１３を含む開口を認識し易い。開口の大きさが大きく、かつ清掃部に対して目立ち易い色差を有するため、開口がより目立ち易くなる。
【００４７】
また、変形例に係る第１繊維体１０Ａは、延出部１３におけるシート層数が、収容空間１１２Ａにおけるシート層数よりも多くなっている。そのため、延出部１３において第１繊維体１０Ａの色が濃くなり、延出部１３を含む開口１１１Ａが目立ち易くなる。加えて、開口１１１Ａは、シート層数が多い部分を有するため、色による見た目のみならず剛性も周囲と異なり、より目立ち易くなる。よって、使用者は、開口をより認識し易くなり、保持具に対する清掃具の装着操作を容易に行うことができる。
【００４８】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【産業上の利用可能性】
【００４９】
上記態様によれば、使用者が開口を認識し易く、円滑な装着操作を行うことができる清掃具を提供できる。
【符号の説明】
【００５０】
１００、１００Ａ      ：清掃具
１０、１０Ａ        ：第１繊維体
１１、１１Ａ        ：第１収容側シート状部材
１２、１２Ａ        ：第２収容側シート状部材
１３        ：延出部
２０        ：第２繊維体
２１        ：繊維束
３０        ：第３繊維体
３１        ：清掃側シート状部材
５０        ：接合部
５１        ：第１接合部
５２        ：第２接合部
１１０、１１０Ａ      ：収容部
１１１、１１１Ａ      ：開口
１１２、１１２Ａ      ：収容空間
１２０、１２０Ａ      ：清掃部
Ｘ          ：直交方向
Ｙ          ：長手方向
Ｚ          ：厚み方向
【図１】
0003213832.tif 000003
【図２】
0003213832.tif 000004
【図３】
0003213832.tif 000005
【図４】
0003213832.tif 000006
【手続補正書】
【提出日】平成29年10月5日(2017.10.5)
【手続補正１】
【補正対象書類名】実用新案登録請求の範囲
【補正対象項目名】全文
【補正方法】変更
【補正の内容】
【実用新案登録請求の範囲】
【請求項１】
保持具に取り付けることにより使用され、繊維体によって構成される清掃具であって、
前記保持具を収容する収容部と、清掃対象に当接される清掃部と、を有し、
前記収容部は、開口と、前記開口に連続する収容空間と、を有し、
前記繊維体は、前記開口を形成する第１繊維体と、前記清掃部を構成する第２繊維体と、を有し、
前記第１繊維体と前記第２繊維体の色差ΔＥは、４９．０以上である、清掃具。
【請求項２】
前記第１繊維体は、前記開口及び前記収容空間を構成する、請求項１に記載の清掃具。
【請求項３】
前記第１繊維体と前記第２繊維体を接合する接合部を有し、
前記第１繊維体の光線透過率は、７５〜９０パーセントであり、
前記接合部に接合された第２繊維体は、前記第１繊維体の前記収容空間側から視認可能に構成されている、請求項１又は請求項２に記載の清掃具。
【請求項４】
前記接合部は、前記収容空間の延在方向に沿って間隔を空けて複数配置されている、請求項３に記載の清掃具。
【請求項５】
前記接合部は、前記収容空間の延在方向に沿って延びている、請求項３又は請求項４に記載の清掃具。
【請求項６】
前記第２繊維体は、繊維束を有し、
前記繊維束と前記第１繊維体の色差ΔＥは、４９．０以上である、請求項１から請求項５のいずれか１項に記載の清掃具。
【請求項７】
前記繊維体は、前記清掃部を構成し、かつ前記第１繊維体に対する色差ΔＥが１０．０以下である第３繊維体を有し、
前記第１繊維体は、収容側シート状部材を有する、請求項６に記載の清掃具。
【請求項８】
前記第１繊維体は、複数の収容側シート状部材を有しており、
前記収容空間は、前記複数の収容側シート状部材によって挟まれた空間であり、
前記複数の収容側シート状部材は、前記収容空間の前記開口側の端部から前記収容空間の外側に向かって延出する延出部をそれぞれ有し、
前記延出部の前記収容側シート状部材どうしは、離間している、請求項１から請求項６のいずれか１項に記載の清掃具。